(57)【要約】      （修正有）【課題】  汎用コンピュータを、ＨＤドライブを使用することなくＩＰ電話端末として機能させるプログラムが記録されたＣＤ−ＲＯＭを提供する。【解決手段】  当該ＣＤ−ＲＯＭがセットされた汎用コンピュータが起動された場合に、ＣＰＵがＣＤ−ＲＯＭブートによってＣＤ−ＲＯＭに記録されたプログラムをメモリ上に展開して汎用コンピュータを起動した後、ユーザから入力された、ユーザ毎に個別のユーザ識別情報を取得し、取得したユーザ識別情報を、ＣＤ−ＲＯＭに記録された管理サーバの所在を示す所在情報に従ってネットワークを介して管理サーバに送信し、送信されたユーザ識別情報に対して管理サーバからネットワークを通じて送信されてきたユーザ識別情報に一意に対応付けられたＩＰ電話端末識別情報を含むＩＰ電話端末設定情報を受信し、ＩＰ電話端末設定することによって汎用コンピュータをＨＤドライブを使用することなくＩＰ電話端末として機能させる。【選択図】  図１
2005318514.tif 000002
【特許請求の範囲】
【請求項１】
少なくともＣＰＵ、メモリ、入力手段、ネットワークカード、サウンドカード、及びＣＤ−ＲＯＭドライブを備える汎用コンピュータを、ＨＤドライブを使用することなくＩＰ電話端末として機能させるプログラムが記録されたＣＤ−ＲＯＭであって、
当該ＣＤ−ＲＯＭが前記ＣＤ−ＲＯＭドライブにセットされ、前記汎用コンピュータの起動指令がなされた場合に、前記ＣＰＵが、
ＣＤ−ＲＯＭブートによって前記ＣＤ−ＲＯＭに記録された前記プログラムをＨＤを除く前記メモリ上に展開して前記汎用コンピュータを起動した後、ユーザから前記入力手段を介して入力された、ユーザ毎に個別のユーザ識別情報を取得し、当該取得したユーザ識別情報を、前記ＣＤ−ＲＯＭに記録された管理サーバの所在を示す所在情報に従ってネットワークを介して当該管理サーバに送信し、
前記送信されたユーザ識別情報に対して前記管理サーバから前記ネットワークを通じて送信されてきたＩＰ電話端末設定情報であって、前記ユーザ識別情報に一意に対応付けられた前記ＩＰ電話端末識別情報を含む前記ＩＰ電話端末設定情報を受信し、ＩＰ電話端末設定することによって前記汎用コンピュータをＨＤドライブを使用することなくＩＰ電話端末として機能させるプログラムが記録されていることを特徴とするＣＤ−ＲＯＭ。
【請求項２】
請求項１に記載のＣＤ−ＲＯＭにおいて、
前記ＩＰ電話端末設定情報には、電話交換運用に利用される運用サーバの所在を示す所在情報が含まれており、
前記ＩＰ電話端末設定においては、前記ＣＰＵが前記ＩＰ電話端末識別情報を、前記運用サーバの所在情報に従って前記ネットワークを介して前記運用サーバに送信し、前記汎用コンピュータをＩＰ電話端末として登録させることを特徴とするＣＤ−ＲＯＭ。
【請求項３】
請求項２に記載のＣＤ−ＲＯＭにおいて、
前記ＩＰ電話端末設定後、前記ネットワークに接続された他のＩＰ電話端末、又は前記ネットワークにゲートウェイ経由で接続された電話機であって、前記運用サーバにより登録された前記他のＩＰ電話端末又は前記電話機を通話指定するための通話指定情報を前記運用サーバから取得して、前記ユーザが前記入力手段により当該通話指定情報を選択可能にブラウザ表示させることを特徴とするＣＤ−ＲＯＭ。
【請求項４】
請求項１乃至３の何れか一項に記載のＣＤ−ＲＯＭによって起動した汎用コンピュータにネットワークを介して接続される前記管理サーバであって、
複数の前記ユーザ識別情報と、夫々の前記ユーザ識別情報に対応付けられた前記ＩＰ電話端末識別情報とを登録するデータベースと、
前記汎用コンピュータから前記ネットワークを通じて送信されてきた前記ユーザ識別情報を受信し、当該ユーザ識別情報に対応付けられたＩＰ電話端末識別情報を前記データベースから取得し、当該ＩＰ電話端末識別情報を含む前記ＩＰ電話端末設定情報を前記ネットワークを介して前記汎用コンピュータに送信する設定情報送信手段と、
を備えることを特徴とする管理サーバ。
【請求項５】
請求項２又は３に記載のＣＤ−ＲＯＭによって起動した汎用コンピュータにネットワークを介して接続される前記運用サーバであって、
複数のＩＰ電話端末識別情報と、夫々の前記ＩＰ電話端末識別情報に対応付けられた前記通話指定情報とを登録するデータベースと、
前記汎用コンピュータから前記ネットワークを通じて送信されてきた前記ＩＰ電話端末識別情報を受信し、当該ＩＰ電話端末識別情報が前記データベースに登録されている場合には、当該汎用コンピュータをＩＰ電話端末として登録する登録手段と、
を備えることを特徴とする運用サーバ。
【請求項６】
請求項５に記載の前記運用サーバであって、
前記通話指定情報管理データベースに登録された前記通話指定情報を、前記ＩＰ電話端末として登録された汎用コンピュータに前記ネットワークを介して送信する指定情報送信手段を備えることを特徴とする運用サーバ。
【請求項７】
少なくともＣＰＵ、メモリ、入力手段、ネットワークカード、サウンドカード、及びＣＤ−ＲＯＭドライブを備える汎用コンピュータに、ＨＤドライブを使用することなくＩＰ電話端末として機能させるプログラムが記録されたＣＤ−ＲＯＭが前記ＣＤ−ＲＯＭドライブにセットされ、前記汎用コンピュータの起動指令がなされた場合に、前記ＣＰＵが、ＣＤ−ＲＯＭブートによって前記ＣＤ−ＲＯＭに記録された前記プログラムをＨＤを除く前記メモリ上に展開して前記汎用コンピュータを起動した後、ユーザから前記入力手段を介して入力された、ユーザ毎に個別のユーザ識別情報を取得し、当該取得したユーザ識別情報を、前記ＣＤ−ＲＯＭに記録された管理サーバの所在を示す所在情報に従ってネットワークを介して当該管理サーバに送信し、
前記管理サーバが、前記汎用コンピュータから前記ネットワークを通じて送信されてきた前記ユーザ識別情報を受信し、当該ユーザ識別情報に一意に対応付けられた前記ＩＰ電話端末識別情報、及び電話交換処理を実行する運用サーバの所在を示す所在情報を含む前記ＩＰ電話端末設定情報を前記ネットワークを介して前記汎用コンピュータに送信し、
前記汎用コンピュータのＣＰＵが前記管理サーバから前記ネットワークを通じて送信されてきたＩＰ電話端末設定情報を受信し、前記ＩＰ電話端末識別情報を前記運用サーバの所在情報に従って前記ネットワークを介して前記運用サーバに送信し、前記汎用コンピュータをＩＰ電話端末として登録させることを特徴とするＩＰ電話端末設定方法。
【発明の詳細な説明】
【技術分野】
【０００１】
本発明は、パーソナルコンピュータ（ＰＣ）等の汎用コンピュータをＩＰ（Internet Protocol）電話端末として使用して、インターネット上で２者間の音声通話を可能とする技術分野に関する。
【背景技術】
【０００２】
近年、一般の電話による通話コストの削減等の理由から、ＩＰパケットにより音声通話を実現するＶｏＩＰ (Voice over IP)技術を使用したＩＰ電話システムが注目されている。このＩＰ電話システムにおいては、その機能面において様々な提案がなされている。
【０００３】
例えば、特許文献１には、ＶｏＩＰ通話を行うＩＰ電話端末同士が、ダイアルアップ接続時に動的に割り振られたＩＰアドレスを意識することなく、電話番号を指定するだけで通話が可能となり、また、ＩＰ電話端末がゲートキーパに対し電話番号を指定して問い合わせた通話先のＩＰアドレスが、本当にその電話番号のユーザが接続しているＩＰアドレスかどうかを保証することができるＶｏＩＰ通信システムが開示されている。
【特許文献１】特開２００３−１６９１３５号公報
【発明の開示】
【発明が解決しようとする課題】
【０００４】
しかしながら、このようなＩＰ電話システムにおいては、一般に、ＶｏＩＰ通話機能を有したＩＰ電話端末やＶｏＩＰ機能付きアダプターなどを用意することが必要であるため、ユーザは、新たなハードウェアを購入する必要があり、新たなコストが発生する。
【０００５】
また、ユーザは、例えば、ＶｏＩＰ通話機能を有するアプリケーションをＰＣにインストールする必要があり、ウィンドウズ（登録商標）などの環境設定ができなければならず、設定が難しく、特に年配利用者には利用しにくい面があった。
【０００６】
本発明は、以上の点に鑑みてなされたものであり、ＩＰ電話端末を利用してインターネット上の２者間でＩＰ通話接続し音声通話をする時に必要十分なＩＰ通話機能を簡単かつ低コストで実現でき、また、インターネット上のウェブサイトのページ情報をＩＰ電話端末にブラウザ表示する時に必要十分なブラウザ表示機能を同時に実現できるＣＤ−ＲＯＭ、管理サーバ、運用サーバ、及びＩＰ電話端末設定方法を提供することを課題とする。
【課題を解決するための手段】
【０００７】
請求項１に記載の発明は、少なくともＣＰＵ（Central Processing Unit）、メモリ、入力手段、ネットワークカード、サウンドカード、及びＣＤ（Compact Disk）−ＲＯＭ（Read Only Memory）ドライブを備える汎用コンピュータを、ＨＤ(Hard Disk)ドライブを使用することなくＩＰ(Internet Protocol)電話端末として機能させるプログラム（例えば、ＯＳ、アプリケーション）が記録されたＣＤ−ＲＯＭであって、当該ＣＤ−ＲＯＭが前記ＣＤ−ＲＯＭドライブにセットされ、前記汎用コンピュータの起動指令がなされた（例えば、汎用コンピュータの電源投入による）場合に、前記ＣＰＵが、ＣＤ−ＲＯＭブートによって前記ＣＤ−ＲＯＭに記録された前記プログラムをＨＤを除く前記メモリ上に展開して前記汎用コンピュータを起動した後、ユーザから前記入力手段を介して入力された、ユーザ毎に個別のユーザ識別情報を取得し、当該取得したユーザ識別情報を、前記ＣＤ−ＲＯＭに記録された管理サーバの所在を示す所在情報（例えば、ＩＰアドレス）に従ってインターネット等のネットワークを介して当該管理サーバに送信し、前記送信されたユーザ識別情報に対して前記管理サーバから前記ネットワークを通じて送信されてきたＩＰ電話端末設定情報であって、前記ユーザ識別情報に一意に対応付けられた前記ＩＰ電話端末識別情報を含む前記ＩＰ電話端末設定情報を受信し、ＩＰ電話端末設定することによって前記汎用コンピュータをＨＤドライブを使用することなくＩＰ電話端末として機能させるプログラムが記録されていることを特徴とする。
【０００８】
請求項２に記載の発明は、請求項１に記載のＣＤ−ＲＯＭにおいて、前記ＩＰ電話端末設定情報には、電話交換運用に利用される運用サーバの所在を示す所在情報（例えば、ＩＰアドレス）が含まれており、前記ＩＰ電話端末設定においては、前記ＣＰＵが前記ＩＰ電話端末識別情報を、前記運用サーバの所在情報に従って前記ネットワークを介して前記運用サーバに送信し、前記汎用コンピュータをＩＰ電話端末として登録させることを特徴とする。
【０００９】
請求項３に記載の発明は、請求項２に記載のＣＤ−ＲＯＭにおいて、前記ＩＰ電話端末設定後、前記ネットワークに接続された他のＩＰ電話端末、又は前記ネットワークにゲートウェイ経由で接続された電話機（例えば、一般の固定電話機、携帯電話機等）であって、前記運用サーバにより登録された前記他のＩＰ電話端末又は前記電話機を通話指定するための通話指定情報を前記運用サーバから取得して、前記ユーザが前記入力手段により当該通話指定情報を選択可能にブラウザ表示させることを特徴とする。
【００１０】
請求項４に記載の発明は、請求項１乃至３の何れか一項に記載のＣＤ−ＲＯＭによって起動した汎用コンピュータにネットワークを介して接続される前記管理サーバであって、複数の前記ユーザ識別情報と、夫々の前記ユーザ識別情報に対応付けられた前記ＩＰ電話端末識別情報とを登録するデータベースと、前記汎用コンピュータから前記ネットワークを通じて送信されてきた前記ユーザ識別情報を受信し、当該ユーザ識別情報に対応付けられたＩＰ電話端末識別情報を前記データベースから取得し、当該ＩＰ電話端末識別情報を含む前記ＩＰ電話端末設定情報を前記ネットワークを介して前記汎用コンピュータに送信する設定情報送信手段と、を備えることを特徴とする。
【００１１】
請求項５に記載の発明は、請求項２又は３に記載のＣＤ−ＲＯＭによって起動した汎用コンピュータにネットワークを介して接続される前記運用サーバであって、複数のＩＰ電話端末識別情報と、夫々の前記ＩＰ電話端末識別情報に対応付けられた前記通話指定情報とを登録するデータベースと、前記汎用コンピュータから前記ネットワークを通じて送信されてきた前記ＩＰ電話端末識別情報を受信し、当該ＩＰ電話端末識別情報が前記データベースに登録されている場合には、当該汎用コンピュータをＩＰ電話端末として登録する登録手段と、を備えることを特徴とする。
【００１２】
請求項６に記載の発明は、請求項５に記載の前記運用サーバであって、前記通話指定情報管理データベースに登録された前記通話指定情報を、前記ＩＰ電話端末として登録された汎用コンピュータに前記ネットワークを介して送信する指定情報送信手段を備えることを特徴とする。
【００１３】
請求項７に記載の発明は、少なくともＣＰＵ、メモリ、入力手段、ネットワークカード、サウンドカード、及びＣＤ−ＲＯＭドライブを備える汎用コンピュータに、ＨＤドライブを使用することなくＩＰ電話端末として機能させるプログラムが記録されたＣＤ−ＲＯＭが前記ＣＤ−ＲＯＭドライブにセットされ、前記汎用コンピュータの起動指令がなされた場合に、前記ＣＰＵが、ＣＤ−ＲＯＭブートによって前記ＣＤ−ＲＯＭに記録された前記プログラムをＨＤを除く前記メモリ上に展開して前記汎用コンピュータを起動した後、ユーザから前記入力手段を介して入力された、ユーザ毎に個別のユーザ識別情報を取得し、当該取得したユーザ識別情報を、前記ＣＤ−ＲＯＭに記録された管理サーバの所在を示す所在情報に従ってネットワークを介して当該管理サーバに送信し、前記管理サーバが、前記汎用コンピュータから前記ネットワークを通じて送信されてきた前記ユーザ識別情報を受信し、当該ユーザ識別情報に一意に対応付けられた前記ＩＰ電話端末識別情報、及び電話交換処理を実行する運用サーバの所在を示す所在情報を含む前記ＩＰ電話端末設定情報を前記ネットワークを介して前記汎用コンピュータに送信し、前記汎用コンピュータのＣＰＵが前記管理サーバから前記ネットワークを通じて送信されてきたＩＰ電話端末設定情報を受信し、前記ＩＰ電話端末識別情報を前記運用サーバの所在情報に従って前記ネットワークを介して前記運用サーバに送信し、前記汎用コンピュータをＩＰ電話端末として登録させることを特徴とする。
【発明の効果】
【００１４】
本発明は、以下に記載されるような効果を奏する。
【００１５】
第１に、ＩＰ電話端末として汎用コンピュータを利用しており、専用のハードウェアを必要としないため、機器の調達が容易であり、また、その分、安い費用でＩＰ電話端末を構築することができる。特に、中古パソコンの有効活用の可能性が非常に大きい。
【００１６】
第２に、ＩＰ電話端末として汎用コンピュータを利用しており、一般的なＩＰ電話端末より大きなディスプレイ（表示画面）を有するＩＰ電話端末を実現できるため、ブラウザ機能付き電話端末、テレビ電話端末などの幅広い用途に利用可能である。
【００１７】
第３に、ＩＰ電話端末としてＨＤドライブを基本的に使用しないため、その分、使用部品数が少なくなり、故障が少ない。また、ＨＤドライブが故障中でも、ＩＰ電話端末として利用可能である。
【００１８】
第４に、ＩＰ電話端末としてＨＤドライブを基本的に使用しないため、データなどの書き込みが発生せず、個人情報などの機密情報の消し忘れや、悪意を持った意図的な情報搾取に対して強い。
【００１９】
第５に、汎用コンピュータをＩＰ電話端末として立ち上げるためのディスクとしてＣＤ−ＲＯＭを利用しているため、データの書き込みが不可能であり、データが消失することなく、セキュリティに強い。
【００２０】
第６に、汎用コンピュータをＩＰ電話端末として立ち上げるためのディスクとしてＣＤ−ＲＯＭを利用しているため、ブート用記憶媒体としては最大容量であり、大量の装置ドライバを実装でき、様々な汎用コンピュータに利用可能である。
【００２１】
第７に、汎用コンピュータをＩＰ電話端末として立ち上げるためのディスクとしてＣＤ−ＲＯＭを利用しているため、持ち運びに便利であるほか、取り扱いが楽であり、例えば、出張先で汎用コンピュータをＣＤ−ＲＯＭブートにより起動させ、ＩＰ電話端末として利用可能である。
【００２２】
第８に、汎用コンピュータをＩＰ電話端末として立ち上げるためのディスクとしてＣＤ−ＲＯＭを利用しているため、ＣＤ−ＲＯＭを交換でき、プログラム更新時でも一般的なＩＰ電話端末のようにハードウェアを無駄にすることなく対応することができる。
【００２３】
第９に、汎用コンピュータをＩＰ電話端末として立ち上げるためのディスクとしてＣＤ−ＲＯＭを利用しているため、ＩＰ電話端末毎に固有のＩＰ電話端末識別情報である製造番号がＣＤ−ＲＯＭに付与されるほか、ブラウザ機能が同時に利用可能であるため、専用化されたＩＰ電話端末として使用でき、また、ＩＰ通話着信も可能である。
【００２４】
第１０に、汎用コンピュータをＩＰ電話端末として立ち上げるためのディスクとしてＣＤ−ＲＯＭを利用しているため、例えばウィンドウズ（登録商標）環境にてＣＤ−ＲＯＭブートによる汎用コンピュータの起動時以外にＣＤ−ＲＯＭに記録されたデータを読み取ろうとしても、読めないようにダミー表示することができ、リバースエンジニアリング防止の効果を発揮できる。
【００２５】
第１１に、ＩＰ電話端末識別情報が全て、管理サーバにて一括管理されるため、ＣＤ−ＲＯＭに記録されたデータの内容自体は同一に複製されたものでありながら、個別のＩＰ電話端末識別情報としての製造番号が提供される仕組みが可能である。
【００２６】
第１２に、１のＩＰ電話端末から他のＩＰ電話端末への受発信が可能となっており、一般にインターネットは常時接続料金制があるので、距離及び通話量に関係なく通話料金を一定にすることができる。
【００２７】
第１３に、ＩＰ電話端末から一般の電話機への発信が可能となっており、結果的にＩＰゲートウェイから一般の電話機までの一般通話部分は市内通話にすることが可能なので、通話料金を低減することができる。
【００２８】
第１４に、一般の電話機からＩＰ電話端末への発信が可能となっており、ＩＰ電話番号がＣＤ−ＲＯＭに付与された製造番号と関連付けられているため、ＩＰ電話端末とインターネットとの接続点の場所にかかわらず、決まったＩＰ電話端末に決まったＩＰ電話番号で着信させることができる。
【００２９】
第１５に、ＩＰ電話端末は、基軸通信網としてインターネットを利用しており、一般に普及したネットワークを利用できるので、通信料金を低く抑えることができ、或いは、かけ放題の通話サービスが可能になる。
【００３０】
第１６に、ＩＰ電話端末は、基軸通信網としてインターネットを利用しており、ＩＰ電話端末及び管理サーバは様々な場所で設置可能なので、簡単に設置場所の移動をすることができる。
【００３１】
第１７に、ＩＰ電話端末は、基軸通信網であるインターネットとの接続部分にＵＰｎＰ（Universal Plug and Play）仕様のルータを使用可能としているため、１箇所のインターネット接続点からルータ経由で複数のＩＰ電話端末を接続配置し、利用することができる。
【００３２】
第１８に、ＩＰ電話端末は、基軸通信網であるインターネットとの接続部分にＤＨＣＰ（Dynamic Host Configuration Protocol）仕様のルータを使用可能としているため、ＩＰ電話端末自体にローカルＩＰアドレスを固定割付する必要なく、複数のＩＰ電話端末を接続配置し、利用することができる。
【発明を実施するための最良の形態】
【００３３】
以下、本発明の最良の実施形態を図１乃至図１０に基づいて説明する。なお、以下に説明する実施形態は、本発明を次世代型ＩＰ電話システムに対して適用した場合の実施形態である。この次世代型ＩＰ電話システムは、ＣＤ−ＲＯＭ駆動型ＩＰ電話（以下、「ＣＤ−ＩＰ電話」という）通信を実行するシステムである。
【００３４】
先ず、図１を参照して、次世代型ＩＰ電話システムＳにおける構成及び機能について簡単に説明する。
【００３５】
図１は次世代型ＩＰ電話システムにおける概要構成例を示す図である。
【００３６】
図１に示すように、次世代型ＩＰ電話システムＳは、複数（本実施形態では、一例として２つ）の本発明のＩＰ電話端末としてのＣＤ−ＩＰ電話端末（Ａ）２及び（Ｂ）４、本発明の管理サーバとしてのＣＤ−ＩＰ電話制御管理サーバ６、電話交換運用に利用される本発明の運用サーバとしてのソフトスイッチＷｅｂサーバ８、及びＩＰゲートウェイ９等を備えて構成されており、これら構成要素は、ネットワークとしてのインターネット網５に接続されるようになっている。
【００３７】
ＣＤ−ＩＰ電話端末（Ａ）２及び（Ｂ）４は、夫々、ＣＤ−ＲＯＭドライブを備えるＰＣ等の汎用コンピュータからなっており、夫々の汎用コンピュータは、ＣＤ−ＲＯＭドライブに本発明のＣＤ−ＲＯＭ１又は３がセットされてＣＤ−ＲＯＭブート方式により起動し、ＣＤ−ＩＰ電話制御管理サーバ６及びソフトスイッチＷｅｂサーバ８と連動することにより、ＨＤドライブを使用することなく（必要とせずに）ＩＰ電話端末として機能（ＩＰ電話のための専用端末化）するようになっている。
【００３８】
ここで、夫々の汎用コンピュータに装填されるＣＤ−ＲＯＭ１とＣＤ−ＲＯＭ３は、夫々、異なるＩＰ電話端末識別情報の一例としての製造番号を持つものの、ディスクの記録エリア上には同一の内容を持つ（同一の記録情報を有する）ＣＤ−ＲＯＭであり、単純に物理的に複製されたＣＤ−ＲＯＭである。そして、このＣＤ−ＲＯＭに記録されたプログラムによって汎用コンピュータがＣＤ−ＩＰ電話制御管理サーバ６と連動することにより、本来ＣＤ−ＲＯＭが持つ独自の製造番号が取得され、個別のＩＰ電話端末として利用可能になる。
【００３９】
ＣＤ−ＩＰ電話制御管理サーバ６は、例えばサーバコンピュータからなっており、上記ＣＤ−ＩＰ電話端末を個別認識管理するために、ＩＰ電話端末設定情報としてのＣＤ−ＩＰ電話制御情報を登録するＣＤ−ＩＰ電話制御情報データベース（ＤＢ）７を備えている。このＣＤ−ＩＰ電話制御情報には、例えば、複数のユーザ識別情報の一例としてのユーザＩＤ及びパスワードと、夫々のユーザＩＤに一意に対応付けられた製造番号と、ソフトスイッチＷｅｂサーバ８のＩＰアドレスと、ソフトスイッチＷｅｂサーバ８のＵＲＬ（Uniform Resource Locater）名等が含まれる。
【００４０】
そして、ＣＤ−ＩＰ電話制御管理サーバ６は、汎用コンピュータがＣＤ−ＲＯＭブート方式で起動するときに、各汎用コンピュータに個別の認識ＩＤとなる製造番号を付与するための機能を有しており、この機能により、単純に物理的に複製されたＣＤ−ＲＯＭでありながら、立ち上げ段階でユニークなＩＤを有するＣＤ−ＩＰ電話端末を実現することが可能となる。
【００４１】
また、ＣＤ−ＩＰ電話端末が一旦立ち上がった時点で、制御はＣＤ−ＩＰ電話制御管理サーバ６からソフトスイッチＷｅｂサーバ８へ移され、その後の運用はすべてＣＤ−ＩＰ電話端末とソフトスイッチＷｅｂサーバ８との連動で行われる。
【００４２】
ソフトスイッチＷｅｂサーバ８は、例えばサーバコンピュータからなっており、ＣＤ−ＩＰ電話端末として立ち上がった（ＣＤ−ＩＰ電話端末として設定された）後の電話交換運用のために、ＣＤ−ＩＰ電話電話帳情報を登録するＣＤ−ＩＰ電話電話帳情報データベース（ＤＢ）１７を備えている。このＣＤ−ＩＰ電話電話帳情報には、例えば、複数の製造番号と、夫々の製造番号に対応付けられたＣＤ−ＩＰ電話端末の最新のＩＰアドレス（例えば、インターネットサービスプロバイダ（ＩＳＰ）のサーバによりインターネット接続時に割り当てられる）及び通話指定情報等が含まれる。
【００４３】
通話指定情報は、インターネット網５に接続されたＣＤ−ＩＰ電話端末、又はインターネット網５にＩＰゲートウェイ９経由で接続された電話機（例えば、固定電話機、ＰＢＸ内線、公衆電話機、携帯電話機等のＩＰ電話端末以外の電話機、以下、「一般電話機」という）を通話指定するための情報である。例えば、通話指定情報には、ＣＤ−ＩＰ電話端末の場合、当該ＣＤ−ＩＰ電話端末の所有者の名称等の所有者情報や、ＩＰゲートウェイ９経由で当該ＣＤ−ＩＰ電話端末へ着信を可能にするためのインターネット電話番号が含まれ、一般電話機の場合、当該一般電話機の所有者の名称等の所有者情報や、ＩＰゲートウェイ９経由でＣＤ−ＩＰ電話端末から当該一般電話機へ発信するときに必要な一般の電話番号（ゲートウェイ経由電話番号）が含まれる。なお、一般電話機の場合、製造番号の代わりに、接続されるＩＰゲートウェイを表す情報（例えば、番号）が登録されることになる。
【００４４】
なお、ソフトスイッチＷｅｂサーバ８は、Ｈ．３２３準拠のゲートキーパとは類似するが、機能面において異なっており、制御すべきＣＤ−ＩＰ電話端末の台数制限がない、と同時に、Ｗｅｂサーバ／ブラウザという表示機能の組み合わせで発信を可能にした運用サーバである。また、ソフトスイッチＷｅｂサーバ８上では、ＣＤ−ＩＰ電話端末と同様に、ＩＰゲートウェイ９の各ポートに、ＩＰアドレスとインターネット電話番号が割り当てられる。
【００４５】
ＩＰゲートウェイ９は、一般電話網１０に接続されており、一般電話網１０に接続される一般電話機へ通話するときに利用されるが、複数回線が１つの装置として集約されたもので、一般電話網と連動する装置と理解することができる。
【００４６】
次に、図２を参照して、ＣＤ−ＩＰ電話端末におけるハードウェア構成について説明する。
【００４７】
図２は汎用コンピュータにおけるハードウェア構成例を示す図である。
【００４８】
本実施形態において、ＣＤ−ＩＰ電話端末として利用される汎用コンピュータは、ＣＤ−ＲＯＭドライブの他、ＣＰＵ、ＲＡＭ等のメモリ、キーボード，マウス等の入力手段、ディスプレイ等の表示手段、ＮＩＣ（Network Interface Card）等のネットワークカード、サウンドカード、及び内蔵スピーカ・内蔵マイク１１等を具備するＩＢＭ−ＡＴ互換仕様ＰＣである。また、ＨＤドライブは、必ずしも必要な部品ではない。
【００４９】
なお、図２に示すように、内蔵スピーカ・内蔵マイク１１の利用以外に、使い勝手を考慮して必要に応じて、スピーカ・マイク用のピンジャックに、外部接続用スピーカ・マイク１２や、ヘッドセット型スピーカ・マイク１３や、ハンドセット型スピーカ・マイク１４、を取り付けても良い。
【００５０】
汎用コンピュータをＣＤ−ＲＯＭブート方式により起動する場合、重要な点は、汎用コンピュータのＢＩＯＳ設定にある。最近のＰＣは、殆どＣＤ−ＲＯＭブート設定になっており、ＣＤ−ＲＯＭドライブになんらＣＤ−ＲＯＭがセットされていない場合のみ、ＨＤＤから起動する。しかし、古いＰＣの場合、ＢＩＯＳの設定により、ＣＤ−ＲＯＭブート起動の優先順位を高くしておく必要がある。
【００５１】
本実施形態に係るＣＤ−ＩＰ電話端末は、汎用コンピュータのＢＩＯＳ設定にてＣＤ−ＲＯＭ起動設定になっているときのみ利用可能となる。必要なプログラムは、すべてＣＤ−ＲＯＭに書き込まれているため、消失することもなく、ＨＤドライブを必要とせず稼動させることができる。
【００５２】
また、図２に示すように、ＡＤＳＬモデム、及びブロードバンドルータに関する要件としては、ＤＨＣＰサーバ機能、ＵＰｎＰサーバ機能を有することが挙げられる。ブロードバンドルータ配下には、複数のＣＤ−ＩＰ電話端末が配置されるため、ＤＨＣＰによりＩＰアドレスがダイナミックに設定される。同時に、グローバルＩＰアドレスとローカルＩＰアドレスを把握し、インターネット網５から入ってきた音声パケットをＬＡＮ（Local Area Network）内でも利用できるようにしている。また、ＡＤＳＬモデム内にブロードバンドルータ機能を内蔵した機器も同様に利用可能である。
【００５３】
次に、図３乃至図５を参照して、ＣＤ−ＲＯＭブートによる汎用コンピュータの起動時における次世代型ＩＰ電話システムＳの動作について説明する。
【００５４】
図３（Ａ）は、汎用コンピュータにおける処理を、図３（Ｂ）は、ＣＤ−ＩＰ電話制御管理サーバ６における処理を、夫々示すフローチャートである。図４は、ＣＤ−ＩＰ電話制御管理サーバ６におけるＣＤ−ＩＰ電話制御情報データベース７の構造例を示す図である。図５（Ａ）は、汎用コンピュータにおける初期ログイン画面例を、図５（Ｂ）は、汎用コンピュータにおける通常ブラウザ画面例を、夫々示す図である。
【００５５】
先ず、ユーザ（利用者）は、汎用コンピュータ２において、起動時に、ＢＩＯＳを確認して、ブート設定がＣＤ−ＲＯＭ最優先になっていることを確認する。ＣＤ−ＲＯＭブートに設定されていない場合は、ＣＤ−ＲＯＭブートに設定・保存し、ＣＤ−ＲＯＭブート方式で起動させるようにする。次回以降からは、ユーザがこの操作を行う必要はない。
【００５６】
次に、ユーザが、本発明に係るＣＤ−ＲＯＭ１を汎用コンピュータ２のＣＤ−ＲＯＭドライブにセットし、汎用コンピュータ２の電源投入（電源ボタンを押下）又はリセットボタンの押下によって汎用コンピュータ２の起動指令がなされると、汎用コンピュータ２のＣＰＵがＣＤ−ＲＯＭブートによって上記ＣＤ−ＲＯＭに記録されたプログラム及びデータ（ＣＤ−ＲＯＭドライブにより読み出される）を、ＨＤを除くメモリ上に展開して、図３（Ａ）に示すように、当該汎用コンピュータ２を起動（ＯＳ及びアプリケーションの一部を起動）する（ステップＳ１）。なお、アプリケーションには、ブラウザ機能を有するアプリケーション（以下、「ブラウザ」という）や、ＩＰ通話機能を有するアプリケーション（以下、「ソフトフォン」という）等が含まれる。
【００５７】
こうして、ブラウザにより、図５（Ａ）に示すような初期ログイン画面が表示される（ステップＳ２）。このような表示状態において、ユーザは、自分に与えられた（ユーザ毎に個別の）ユーザＩＤとパスワードを、入力手段を操作することにより入力しＯＫボタンをクリックすると、汎用コンピュータ２のＣＰＵは、これを認識し（ステップＳ３：Ｙ）、当該入力手段を介して入力されたユーザＩＤ及びパスワードを取得し、当該取得したユーザＩＤ及びパスワードを、上記ＣＤ−ＲＯＭから読み出されメモリに記録されているＣＤ−ＩＰ電話制御管理サーバ６の所在を示す所在情報としてのＩＰアドレスに従ってインターネット網５を介して当該管理サーバ６に送信する（ステップＳ４）。
【００５８】
これに対して、ＣＤ−ＩＰ電話制御管理サーバ６は、図３（Ｂ）に示すように、汎用コンピュータ２からインターネット網５を通じて送信されてきたユーザＩＤ及びパスワードを受信し（ステップＳ１１）、当該ユーザＩＤ及びパスワードがＣＤ−ＩＰ電話制御情報データベース７に登録されているか（存在しているか）否かを判別（検索）する（ステップＳ１２）。
【００５９】
そして、当該ユーザＩＤ及びパスワードがＣＤ−ＩＰ電話制御情報データベース７に登録されていない（存在しない）場合には（ステップＳ１２：Ｎ）、ＣＤ−ＩＰ電話制御管理サーバ６は、ユーザとして利用が許可されていない旨を示す不許可情報を、インターネット網５を介して汎用コンピュータ２に送信（返信）し（ステップＳ１３）、当該処理を終了する。
【００６０】
一方、当該ユーザＩＤ及びパスワードがＣＤ−ＩＰ電話制御情報データベース７に登録されている（存在する）場合には（ステップＳ１２：Ｙ）、ＣＤ−ＩＰ電話制御管理サーバ６は、図４に示すように、当該ユーザＩＤに一意に対応付けられた製造番号と、ソフトスイッチＷｅｂサーバ８のＩＰアドレスと、ソフトスイッチＷｅｂサーバ８のＵＲＬ名と、表示用ＵＲＬ名を検索結果として取得し、かかる検索結果を含むＩＰ電話端末設定情報を、設定情報送信手段として、インターネット網５を介して汎用コンピュータ２に送信（返信）し（ステップＳ１４）、当該処理を終了する。
【００６１】
これに対して、汎用コンピュータ２のＣＰＵは、ＣＤ−ＩＰ電話制御管理サーバ６からインターネット網５を通じて送信されてきた情報を受信すると（ステップＳ５）、当該情報がＩＰ電話端末設定情報であるか否かを判別し（ステップＳ６）、ＩＰ電話端末設定情報でない場合（ステップＳ６：Ｎ）、つまり、ユーザとして利用が許可されていないことを示す不許可情報である場合、ブラウザによりこの記述がメッセージエリアに表示され（ステップＳ７）、ステップＳ２に戻り、再度、初期ログイン画面が表示される。
【００６２】
一方、受信された情報がＩＰ電話端末設定情報である場合（ステップＳ６：Ｙ）、汎用コンピュータ２のＣＰＵは、ＩＰ電話端末設定情報における検索結果から製造番号及びソフトスイッチＷｅｂサーバ８の所在を示す所在情報としてのＩＰアドレスを取得して（ステップＳ８）、当該製造番号を、当該ＩＰアドレス（グローバルＩＰアドレス）に従ってインターネット網５を介して当該ソフトスイッチＷｅｂサーバ８に送信する（ステップＳ９）。
【００６３】
ところで、受信した検索結果の中には、複数の表示用ＵＲＬ名がある。これは、ＣＤ−ＩＰ電話端末におけるブラウザによって、ウェブサイトを表示するためのものであり、ＣＤ−ＩＰ電話端末上では、タブごとに異なったウェブサイトが、図５（Ｂ）に示すような通常ブラウザ画面によってブラウザ表示されることになる。この通常ブラウザ画面には、「電話帳」に該当する画面があり、この画面がそのまま、電話番号の代わりの発信機能を果たす。
【００６４】
次に、図６乃至図８を参照して、ＣＤ−ＩＰ電話端末設定時における次世代型ＩＰ電話システムＳの動作について説明する。
【００６５】
図６（Ａ）は、ソフトスイッチＷｅｂサーバ８における処理を、図６（Ｂ）は、汎用コンピュータにおける処理を、夫々示すフローチャートである。図７は、ソフトスイッチＷｅｂサーバ８におけるＣＤ−ＩＰ電話電話帳情報データベース１７の構造例を示す図である。図８は、ＣＤ−ＩＰ電話端末設定後の汎用コンピュータにおける電話張画面例を示す図である。
【００６６】
図６（Ａ）において、ソフトスイッチＷｅｂサーバ８は、汎用コンピュータ２からインターネット網５を通じて送信されてきた製造番号を受信し（ステップＳ２１）、当該製造番号が当該ＣＤ−ＩＰ電話電話帳情報データベース１７に登録されているか（存在しているか）否かを判別（検索）する（ステップＳ２２）。
【００６７】
そして、当該製造番号がＣＤ−ＩＰ電話電話帳情報データベース１７に登録されていない（存在しない）場合には（ステップＳ２２：Ｎ）、ソフトスイッチＷｅｂサーバ８は、利用許可されていない旨を示す不許可情報を、インターネット網５を介して汎用コンピュータ２に送信（返信）し（ステップＳ２３）、当該処理を終了する。但し、本来、ＣＤ−ＩＰ電話電話帳情報データベース１７は、ＣＤ−ＩＰ電話制御情報データベース７と連携しているため、製造番号が存在しないことは考えにくいが、これらのデータベース間で不整合があった場合に、上記製造番号が登録されていないことが発生する。
【００６８】
一方、当該製造番号がＣＤ−ＩＰ電話電話帳情報データベース１７に登録されている（存在する）場合には（ステップＳ２２：Ｙ）、ソフトスイッチＷｅｂサーバ８は、登録手段として、ＣＤ−ＩＰ電話電話帳情報データベース１７における当該製造番号に対応するＩＰアドレス欄（例えば、図７に示す符号５１部）に、当該製造番号を送信した汎用コンピュータ２（つまり、現在接続されている汎用コンピュータ）のＩＰアドレスを登録（つまり、汎用コンピュータ２をＣＤ−ＩＰ電話端末として登録）する（ステップＳ２４）。こうして、汎用コンピュータ２のＩＰ電話端末設定がなされる。
【００６９】
なお、図７に示すＩＰアドレス欄は、当該ＣＤ−ＩＰ電話電話帳情報データベース１７における項目の中でも、頻繁に更新される項目であり、所有者情報は所有者（例えば、ユーザ）が変わったときのみ変更され、製造番号とインターネット電話番号は変更されることはない。
【００７０】
以上のようにこうして、汎用コンピュータ２がＣＤ−ＩＰ電話端末として登録されると、ソフトスイッチＷｅｂサーバ８は、ＣＤ−ＩＰ電話電話帳情報データベース１７に例えば公開情報（図７参照）として登録された所有者情報とインターネット電話番号を含む通話指定情報を、インターネット網５を介してＣＤ−ＩＰ電話端末として登録された汎用コンピュータ２に送信し（ステップＳ２５）、当該処理を終了する。
【００７１】
以後、当該汎用コンピュータ２からのＩＰアドレス再登録のためのアクセスがあった場合には、図示しないが、ステップＳ２４及びＳ２５の処理を行うことになる。つまり、ＣＤ−ＩＰ電話端末として設定された汎用コンピュータ２が、所定時間間隔でソフトスイッチＷｅｂサーバ８にアクセスすることで、常に最新のＩＰアドレスが登録され、維持される（汎用コンピュータ２に割り当てられるＩＰアドレスが変わる場合もあるため）ことになる。
【００７２】
これに対して、ＣＤ−ＩＰ電話端末として設定された汎用コンピュータ２のＣＰＵは、図６（Ｂ）において（図３（Ａ）における「Ａ」からの続き）、ソフトスイッチＷｅｂサーバ８からインターネット網５を通じて送信されてきた情報を受信すると（ステップＳ３１）、当該情報が通話指定情報であるか否かを判別し（ステップＳ３２）、通話指定情報でない場合（ステップＳ３２：Ｎ）、つまり、利用許可されていない旨を示す不許可情報である場合、ブラウザにより当該利用不可情報が表示され（ステップＳ３３）、当該処理が終了する。
【００７３】
一方、受信された情報が通話指定情報である場合（ステップＳ３２：Ｙ）、汎用コンピュータ２のＣＰＵは、ブラウザにより、当該通話指定情報を（ユーザが入力手段により選択可能）にブラウザ表示させる（ステップＳ３４）。
【００７４】
図８（Ａ）は、こうして表示された通話指定情報を含む電話帳画面例を示す図である。
【００７５】
そして、ＣＤ−ＩＰ電話端末として設定された汎用コンピュータ２からの通話の発信動作は、ユーザが入力手段を操作して例えば図８（Ａ）に示すようなブラウザ表示された電話帳画面における所望の通話指定情報（例えば、ＣＤ−ＩＰ電話端末登録者（加入者）の氏名又はインターネット電話番号、或いは、一般電話機登録者（ＩＰゲートウェイ経由）の氏名又はゲートウェイ経由電話番号）を指定することにより行われる。具体的には、通話指定情報が例えばマウスによりクリックされると、汎用コンピュータ２のＣＰＵはこれを認識し（ステップＳ３５：Ｙ）、クリックされた通話指定情報を取得してソフトフォンを起動する（ステップＳ３６）。こうして、例えば、インターネット網５を介して、ＣＤ−ＩＰ電話端末登録者への直接発信、ＩＰゲートウェイ９経由で一般電話機への発信、或いは、ＩＰゲートウェイ９経由でＰＢＸ接続された内線への発信、などが画面クリックで可能になる。
【００７６】
また、インターネット網５を介して、ＣＤ−ＩＰ電話端末、或いはＩＰゲートウェイ９経由で一般電話機からの着信があった場合も、汎用コンピュータ２のＣＰＵはこれを認識し（ステップＳ３７：Ｙ）、ソフトフォンを起動する（ステップＳ３６）。
【００７７】
ソフトフォンが起動すると、例えば図８（Ｂ）に示すように、該当する通話指定情報の近傍にＣＤ−ＩＰ電話発信／着信画面（ソフトフォン画面ともいう）６１が表示される。このＣＤ−ＩＰ電話発信／着信画面６１には、通話応答用の「Ｃａｌｌ」ボタン６１ａ、通話終了用の「Ｅｎｄ」ボタン６１ｂ、そして、スピーカ／マイクの音量調節バー６１ｃ，６１ｄが設けられている。このようなＣＤ−ＩＰ電話発信／着信画面の表示中にＩＰ通話をすることが可能になる。通話が終了すると、ソフトフォンが終了し、ステップＳ３８に移行する。なお、ソフトフォン起動後におけるＩＰ通話については公知であるので、詳しい説明を省略する。
【００７８】
また、ＣＤ−ＩＰ電話端末の場合、携帯電話機と同様、ネットワークに接続されていない場合があり、この場合、発信後に相手方端末のリンギング（端末鳴動）動作まで進まないこともある。
【００７９】
そして、汎用コンピュータ２のＣＰＵは、例えば通話指定情報を受信してから所定時間（例えば、５分程度であるが、任意に設定可能）経過すると（ステップＳ３８：Ｙ）、ＩＰアドレス再登録のために、ソフトスイッチＷｅｂサーバ８にアクセスする（ステップＳ３９）。これにより、図８（Ａ）に示すような電話帳画面のブラウザ表示も所定時間間隔で更新（リフレッシュ）されることになる。
【実施例】
【００８０】
次に、実施例として、ＰＣのＣＤ−ＲＯＭブートによる起動から始まり、ＣＤ−ＩＰ電話制御管理サーバ６、そして、ソフトスイッチＷｅｂサーバ８へのアクセスを通じて、ＣＤ−ＩＰ電話端末設定がなされるまでの利用形態を、図２を参照して説明する。
【００８１】
先ず、ＰＣのＣＤ−ＲＯＭドライブに本発明のＣＤ−ＲＯＭ１をセットし、ＣＤ−ＲＯＭブート方式により起動させることによって、ＰＣ自体が専用のＣＤ−ＩＰ電話端末２として利用可能になる。ＩＰ電話端末設定のために必要なＯＳ及びプログラムとしては常にＣＤ−ＲＯＭ上のソフトウェアが利用されるため、ＨＤドライブは無くとも利用可能となる。
【００８２】
ＣＤ−ＩＰ電話端末２がインターネット網５を経由してＣＤ−ＩＰ電話制御管理サーバ６へアクセスするための接続形態は、様々な形態が考えられるが、最も一般的な形態としては、ＡＤＳＬ接続が考えられる。プロバイダから提供される回線に、ＡＤＳＬモデムを接続し、更にその先に、ブロードバンドルータを接続することが多い。この場合、ルータにおいて、ＵＰｎＰがサポートされていれば、ルータ配下に複数のＣＤ−ＩＰ電話端末を接続することができる。また、ＤＨＣＰがサポートされていれば、ルータに接続するＣＤ−ＩＰ電話端末は固定ＩＰアドレスである必要はない。
【００８３】
初期の起動が進むと、初期ログイン画面が表示され、この画面で、ユーザが、ユーザＩＤ及びパスワードを入力することにより、各ＣＤ−ＩＰ電話端末固有のＩＤとなる製造番号がＣＤ−ＩＰ電話制御管理サーバ６より入手できる。この固有ＩＤを基に、ソフトスイッチＷｅｂサーバ８へアクセスする。一般に、Ｈ．３２３端末を運用管理するためには、ＩＴＵ−Ｔ勧告H.３２３ＧＫ仕様のゲートキーパを多く利用するが、ここでは、独自仕様のソフトスイッチとなっている。
【００８４】
本実施形態では、ＣＤ−ＩＰ電話端末内部のソフトフォン部分でH．３２３仕様に準拠していながらも、一般ゲートキーパを利用せず、Ｗｅｂサーバ機能を有したソフトスイッチＷｅｂサーバにより、ＰＣを電話交換運用ができる仕組みを実現している。しかも、通常の場合、ＩＰ電話端末から、直接、ゲートキーパへアクセスすることが一般的であるが、ＣＤ−ＩＰ電話端末の場合、一旦、ＣＤ−ＩＰ電話制御管理サーバ６経由で固有ＩＤである製造番号を取得してから、ソフトスイッチＷｅｂサーバ８へアクセスする処理過程をとることに特徴がある。
【００８５】
ＣＤ−ＩＰ電話端末２の立ち上げ完了時には、ＰＣ自体が専用のブラウザ機能付きＩＰ電話専用端末になっており、ＯＳに関連する機能は一切画面には表示されない。しかも、電話帳表示から発信クリックを押下した時、及び、コールが着信してきた時にのみ、図８（Ｂ）の符号６１部に示すようなソフトフォン画面が表れる。
【００８６】
このソフトフォン画面には、基本的な操作となる通話ボタン(Ｃａｌｌ)と切断ボタンＥｎｄ)が有り、通話ボタンにより着信コールに応答ができ、また、切断ボタンにより通話中コールを切断できる。画面クリックにより発信通話のセットアップが開始されると、中央の電話機表示部分６１ｅが青色点滅し、その後、相手が応答すると青色点燈に変わる。また、通話着信時には、電話機表示部分が赤色点滅中に通話ボタンをクリックすることにより応答できる。
【００８７】
また、ＩＰゲートウェイについても動作が可能であり、従って、一般電話網への発信、又は、一般電話網からの着信などが可能となる。但し、ＩＰゲートウェイ経由の発信のためには、ゲートウェイ付加情報として一般の電話番号（ゲートウェイ経由電話番号）、又は、接続ＰＢＸの内線番号が必要となる。
【００８８】
また、ＩＰゲートウェイ経由の着信の場合、一般電話網からＩＰゲートウェイに電話をかける発信者は、事前にインターネット電話番号を知っておく必要がある。
【００８９】
ＨＤに書き込みされていない製造番号を固有ＩＤとして利用する場合において、ＣＤ−ＩＰ電話端末がブラウザ機能を利用して発信先相手の表示をする機能、及び、その画面において相手先を選択クリックすることにより可能になる発信機能は、ブラウザ機能とＩＰ電話機能を、メモリ展開されているＣＤブートＯＳ上にてインテグレーションされた特徴的な構造となっている。
【００９０】
特に特徴的な点として特記すべきことはソフトウェアのインテグレーション構造であり、図９（Ａ）を参照して、その特徴を説明する。
【００９１】
図９（Ａ）は、ソフトウェアのインテグレーション構造の一例を示す図である。
【００９２】
デバイスとして利用するＰＣハードウェア上に、基本ソフト・レイヤーにおいて基本ＯＳが稼動し、その上の中間層レイヤーにおいてソフトフォン、そして、その上の最上層レイヤーにブラウザが稼動する仕組みになっている。この構造において、各レイヤーでの特徴的なインテグレーション手法について、レイヤーごとに説明する。
【００９３】
先ず、基本ソフト・レイヤーにおける特徴として、書き込みが不可能なＯＳ環境であることにある。一般に、Microsoft社「Windows（登録商標）」などのような、ＨＤドライブ上にインストールされたＯＳは書き込みが可能であり、その環境で稼動するアプリケーションに固有の識別ＩＤが必要な場合は、単に、必要なＩＤを書き込むことにより個別化した記録を残すことができる。しかしながら、本発明では、ＯＳにはＣＤ−ＲＯＭブート方式を利用しており、ＨＤドライブは利用しないため、データ記録格納が不可能な環境となっている。
【００９４】
ＯＳにおいて、書き込み不可能なＣＤ−ＲＯＭブート方式であるという大前提のもとに、その上の中間層レイヤーにおいては、ソフトフォンが稼動しているが、一般に、ＩＰ電話ソフトの場合、着信機能実現のために、なんらかの個別識別ＩＤを必要としている。しかしながら、ＨＤドライブを利用しない本発明の場合、識別ＩＤの書き込みが許されない。この個別識別化を実現するために、ＰＣとＣＤ−ＩＰ電話制御管理サーバ６との連動により、ＩＰ電話機能を実現している。
【００９５】
更に、その上の最上層レイヤーには、ブラウザが機能している。上述したデータベース内容の表示を含めて、様々な状況を画面表示するために、ブラウザが効果的に稼動している。ソフトフォンの起動・終了などの制御は全てブラウザ経由で管理されており、ソフトスイッチＷｅｂサーバ８から提供される発信先所有者等の通話指定情報が、ブラウザ経由にて表示されると同時に、ブラウザとソフトフォンとのインテグレーションにより、ブラウザ画面上でのクリックのみでＩＰ通話の発信が可能となっている。
【００９６】
本願では、立ち上がったＣＤ−ＩＰ電話端末の発信・着信の運用機能を実現するために、ソフトスイッチＷｅｂサーバ８を用意している。一般的なH.３２３プロトコルの場合のゲートキーパに相当するサーバだが、ＣＤ−ＩＰ電話端末の場合、最上層においてブラウザがインテグレーションされているので、ゲートキーパとは異なったＷｅｂサーバによる電話交換機機能を実現している。この特徴的な構造により、ＣＤ−ＩＰ電話端末の登録台数に制限がなくなるという利点が得られる。
【００９７】
ブラウザでインテグレーションされたＣＤ−ＩＰ電話端末は、Ｗｅｂ機能を持つソフトスイッチＷｅｂサーバ８と、ＨＴＭＬ(HyperText Markup Language）記述によるプログラミングにより、起動・終了をさせることができる。また、ＣＤ−ＩＰ電話端末は、必ずしもソフトスイッチＷｅｂサーバ８との連動を必要とせず、相手方の発信先ＩＰアドレスをブラウザから取得することにより、直接、発信・着信させることができる。従って、ソフトスイッチＷｅｂサーバ８のように、データベースを保有しなくとも、ＨＴＭＬ記述上にて、特定のＩＰアドレスを記述すれば、そこへ発信が可能である。
【００９８】
次に、ブラウザ画面上にて通話相手先をクリックすることにより発信することができるインテグレーション方法を、図９（Ｂ）を参照して説明する。
【００９９】
図９（Ｂ）は、発信用ＨＴＭＬ記述の一例を示す図である。
【０１００】
画面はＨＴＭＬ記述によって好きなデザインが可能だが、ここでは、電話帳表示を例にして説明する。
【０１０１】
図９（Ｂ）に示す「電話帳」の表示上の電話機部分をクリックすると、噴出しで説明されている記述が取得され、この記述によりソフトフォンが起動され、Ｈ．３２３準拠のＩＰ通話が、ゲートキーパなしで発信される。
【０１０２】
図９（Ｂ）に示すように、発信先の相手が、ＣＤ−ＩＰ電話端末の場合、記述中には、「＠」以下にグローバルＩＰアドレスのみが設定されている。発信先の相手がコールセンターの場合、「＠」以下のゲートウェイのグローバルIPアドレスに続いて、「／」以下に、接続ＰＢＸの着信先内線番号が設定される。また、発信先の相手が携帯電話機や一般電話機の場合、「＠」以下のゲートウェイのグローバルIPアドレスに続いて、「／」以下に、一般電話公衆網における一般の電話番号が設定される。
【０１０３】
発信が起動されたり、通話が着信すると、ソフトフォンはソフトフォン画面を表示し、通話応答、通話終了、スピーカ音量調節、マイク音量調節、が可能となる。通話終了後は、このソフトフォン画面は消える。
【０１０４】
以上のように、ソフトスイッチＷｅｂサーバ８内にあるデータベースを、ＨＴＭＬ準拠のウエブ／ブラウザ構成にて見ることができ、しかも、ブラウザ画面上でクリックにより通話することができるというインテグレーションが施されていることを特徴としている。
【０１０５】
次に、補足として、ＵＰｎＰサポートに関し、図１０を参照して説明する。
【０１０６】
図１０は、ＵＰｎＰ対応イメージ例を示す図である。
【０１０７】
上述したＣＤ−ＩＰ電話端末は、ＵＰｎＰ対応をしているため、ブロードバンドルータの配下でもＩＰ通話することができる。図１０（Ａ）に示すように、インターネット網上のグローバルＩＰアドレスの環境と、ＬＡＮ（Loacal Area Network）上のローカルＩＰアドレスの環境とでは、割り当てられているＩＰアドレスが別々であるため、一般に、ＩＰ電話の音声はそのままでは通話することはできない。
【０１０８】
例えば、ＵＰｎＰ未対応の場合、ＣＤ−ＩＰ電話端末から送出された音声パケットは、ローカルＩＰアドレスを保有した状態でインターネット網上に出るため、ゲートウェイなどからの相手からの音声が届かず、結果、相手からの音声が聞こえないという状態になる。図１０（Ａ）の場合、ＣＤ−ＩＰ電話端末からゲートウェイまでは音声は届く、つまり、ゲートウェイ側では音声は聞こえるが、ゲートウェイ側の音声はＣＤ−ＩＰ電話端末には聞こえない。
【０１０９】
次に、図１０（Ｂ）のようにＵＰｎＰをサポートした場合、結果として、グローバルＩＰアドレスを保有した状態でインターネット網上へ出るため、ブロードバンドルータまでは双方向の通話が可能である。通常のＷｅｂブラウジング機能と同様な動作となる。つまり、ゲートウェイからの音声も聞くことができる。その為には、ＣＤ−ＩＰ電話端末側では常にブロードバンドルータからグローバルＩＰアドレスの情報を取得して、音声パケットに埋め込むことが必要である。
【０１１０】
グローバルＩＰアドレスを埋め込む方法の１種として、ＵＰｎＰ機能の利用がある。一般に、ブロードバンドルータはＵＰｎＰサーバ機能を有しており、インターネット網上のグローバルＩＰアドレスとＬＡＮ上のローカルＩＰアドレス情報を、ＸＭＬファイル形式で提供することができる。ＣＤ−ＩＰ電話端末上のソフトフォンは、ルータから取得したＸＭＬファイルをパーシング（テキスト解析）し、ＩＰアドレス情報を取得し、音声パケットに埋め込む。これにより、双方向の通話が可能になる（図１０（Ｂ）参照）。
【産業上の利用可能性】
【０１１１】
産業上の利用可能性としては、次の３つの利用可能性が考えられる。通信販売向けのＩＰ電話機能付き商品検索端末、留学生向けの海外無料通話端末、コールセンター会社向けの在宅オペレータ端末、などである。詳細を以下に説明する。
【０１１２】
カタログ通販で知られる通信販売の場合、制作費の高いカタログ雑誌を大量に印刷する必要がある。また、電話による注文受付時の電話料金負担が大きい。このようなカタログ雑誌の印刷費用、及び、通販会社側負担の電話料を、ＣＤ−ＩＰ電話端末を利用することにより、大幅に削減する事が可能である。カタログ雑誌の印刷のかわりに、インターネット網経由で商品をブラウザ表示できるようにし、また同時に、一般電話網を利用していた通話をインターネット網経由のＩＰ通話にすることができる。
【０１１３】
日本国内に住む外国人、及び、留学生は年々増加の一途である。当然、自国の家族との連絡が必要になる。だた、年配の親にとっては、ウィンドウズ（登録商標）などを利用したＰＣは利用し難い。しかし、本発明に係るＣＤ−ＲＯＭをセットし、電源を入れることにより、簡単にインターネット電話が利用できる。ブラウザ機能も搭載されているため、大学のホームページを閲覧したり、成績などを家族と一緒に見ながらＩＰ通話をすることができる。
【０１１４】
一般に、コールセンターでは、オペレータが1箇所のセンターに集合して業務する。しかし、その場合、通勤費用がかかるほか、業務時間の柔軟な割当て調整が難しい。このオペレータ業務を自宅に持ってくることが可能になれば、コールセンター運営費は大幅に削減できる。ＣＤ−ＩＰ電話端末を自宅で立ち上げることにより、ブラウザ機能で業務画面を閲覧し、しかも、ＩＰ通話機能を利用して無料通話を実現できる。しかも、主婦などのようにＰＣ知識が少ない人でも利用可能である。
【図面の簡単な説明】
【０１１５】
【図１】次世代型ＩＰ電話システムにおける概要構成例を示す図である。
【図２】汎用コンピュータにおけるハードウェア構成例を示す図である。
【図３】（Ａ）は、汎用コンピュータにおける処理を、（Ｂ）は、ＣＤ−ＩＰ電話制御管理サーバ６における処理を、夫々示すフローチャートである。
【図４】ＣＤ−ＩＰ電話制御管理サーバ６におけるＣＤ−ＩＰ電話制御情報データベース７の構造例を示す図である。
【図５】汎用コンピュータにおける初期ログイン画面例を、（Ｂ）は、汎用コンピュータにおける通常ブラウザ画面例を、夫々示す図である。
【図６】（Ａ）は、ソフトスイッチＷｅｂサーバ８における処理を、（Ｂ）は、汎用コンピュータにおける処理を、夫々示すフローチャートである。
【図７】ソフトスイッチＷｅｂサーバ８におけるＣＤ−ＩＰ電話電話帳情報データベース１７の構造例を示す図である。
【図８】ＣＤ−ＩＰ電話端末設定後の汎用コンピュータにおける電話張画面例を示す図である。
【図９】（Ａ）は、ソフトウェアのインテグレーション構造の一例を示す図であり、（Ｂ）は、発信用ＨＴＭＬ記述の一例を示す図である。
【図１０】ＵＰｎＰ対応イメージ例を示す図である。
【符号の説明】
【０１１６】
１，３  ＣＤ−ＩＰ電話用ＣＤ−ＲＯＭ
２  ＣＤ−ＩＰ電話端末（Ａ）
４  ＣＤ−ＩＰ電話端末（Ｂ）
５  インターネット網
６  ＣＤ−ＩＰ電話制御管理サーバ
７  ＣＤ−ＩＰ電話制御情報データベース
８  ソフトスイッチＷｅｂサーバ
９  ＩＰゲートウェイ
１０  一般（公衆）電話網
１１  内蔵スピーカ／内蔵マイク
１２  外部スピーカ／外部マイク
１３  ヘッドセット型スピーカ／マイク
１４  ハンドセット型スピーカ／マイク
１５  ＡＤＳＬモデム  
１６  ブロードバンドルータ
１７  ＣＤ−ＩＰ電話電話帳情報データベース
Ｓ  次世代型ＩＰ電話システム
【図１】
2005318514.tif 000003
【図２】
2005318514.tif 000004
【図３】
2005318514.tif 000005
【図４】
2005318514.tif 000006
【図５】
2005318514.tif 000007
【図６】
2005318514.tif 000008
【図７】
2005318514.tif 000009
【図８】
2005318514.tif 000010
【図９】
2005318514.tif 000011
【図１０】
2005318514.tif 000012